(57)【要約】      （修正有）【課題】被取り付け体への着脱容易化、物品の取り出し簡便性、外観良好性等を兼備した脱着・開閉機能付物品収納具を提供する。【解決手段】磁性材からなる各種の被取り付け体４０の面に吸着させる磁石を保持し、反対側に軸支用突部６を突出させた取り付け用基体２と、軸支用突部６の両端部において回動基端側が軸支され、物品Ｍを収納する物品収納領域１３が上向きに露出する水平状態の開位置と、開口端面側が被取り付け体４０の面に略接合して物品収納領域１３の両端面を除く領域及び取り付け用基体２の略全域を外部から遮蔽するとともに外観視認性が良好な外表面のみが露出する閉位置とにわたって回動可能に支持されたトレー本体１２と、このトレー本体１２の両端に装着した側面部３１を具備し、被取り付け体４０の面に略接合する閉位置においてトレー本体１２の両端面領域を外部から遮蔽する外観視認性が良好な側カバー体３０とを具備する回動トレー体１１とを有する。【選択図】図２
0003122467.tif 000002
【実用新案登録請求の範囲】
【請求項１】
磁性を有する被取り付け体の面に吸着させる磁石を保持し、該磁石とは反対側に軸支用突部を突出させた取り付け用基体と、
前記取り付け用基体の軸支用突部により軸支され、物品を収納する物品収納領域の開口部が上向きに露出する水平状態又は略水平状態の開位置と、開口端面側が前記被取り付け体の面に略接合して物品収納領域及び取り付け用基体の略全域を外部から遮蔽するとともに、外表面のみが露出する閉位置とにわたって回動可能に支持された物品収納用の回動トレー体と、
を有することを特徴とする脱着・開閉機能付物品収納具。
【請求項２】
磁性を有する被取り付け体の面に吸着させる断面長方形状の磁石を保持し、該磁石とは反対側に略全長にわたって軸支用突部を突出させた所定長の取り付け用基体と、
前記取り付け用基体に沿って配置されるとともに、前記軸支用突部の両端部において回動基端側が軸支され、物品を収納する物品収納領域の開口部が上向きに露出する水平状態又は略水平状態の開位置と、開口端面側が前記被取り付け体の面に略接合して物品収納領域の両端面を除く領域及び取り付け用基体の略全域を外部から遮蔽するとともに、外観視認性が良好な外表面のみが露出する閉位置とにわたって回動可能に支持された前記取り付け用基体の長さ方向両外方に突出する寸法のトレー本体と、このトレー本体の両端に装着したトレー本体の断面形状に対応する形状の側面部を具備し、被取り付け体の面に略接合する閉位置において前記トレー本体の両端面領域を外部から遮蔽する外観視認性が良好な一対構成の側カバー体とを具備する物品収納用の回動トレー体と、
を有することを特徴とする脱着・開閉機能付物品収納具。
【請求項３】
磁性を有する被取り付け体の面に吸着させる断面長方形状の磁石を保持し、該磁石とは反対側に略全長にわたって軸支用突部を突出させた所定長の取り付け用基体と、
前記取り付け用基体に沿って配置されるとともに、前記軸支用突部の両端部において回動基端側が軸支され、内底部に長さ方向に沿った物品等の載置安定用の凹陥部を有し、物品を収納する物品収納領域の開口部が上向きに露出する水平状態又は略水平状態の開位置と、開口端面側が前記被取り付け体の面に略接合して物品収納領域の両端面を除く領域及び取り付け用基体の略全域を外部から遮蔽するとともに、外観視認性が良好な外表面のみが露出する閉位置とにわたって回動可能に支持された断面略半円状で、前記取り付け用基体の長さ方向両外方に突出する寸法のトレー本体と、このトレー本体の両端に装着したトレー本体の断面形状に対応する略半円状の側面部と、前記開口端面に沿った平坦で、前記被取り付け体の面へ吸着させる吸着用磁石部を備えた接合片部とを具備し、被取り付け体の面に略接合する閉位置において前記トレー本体の両端面領域を外部から遮蔽するとともに、前記吸着用磁石部により被取り付け体の面に離脱可能に吸着する外観視認性が良好な一対構成の側カバー体とを具備する物品収納用の回動トレー体と、
を有することを特徴とする脱着・開閉機能付物品収納具。
【請求項４】
磁性を有する被取り付け体の面に吸着させる断面長方形状の磁石を保持し、該磁石とは反対側に略全長にわたって軸支用突部を突出させ、回動規制用のストッパー片を軸支用突部と同方向に突出させた所定長の取り付け用基体と、
前記取り付け用基体に沿って配置されるとともに、前記軸支用突部の両端部において回動基端側が軸支され、内底部に長さ方向に沿った物品等の載置安定用の凹陥部を有し、物品を収納する物品収納領域の開口部が上向きに露出する水平状態又は略水平状態の開位置と、開口端面側が前記被取り付け体の面に略接合して物品収納領域の両端面を除く領域及び取り付け用基体の略全域を外部から遮蔽するとともに、外観視認性が良好な外表面のみが露出する閉位置とにわたって回動可能に支持されるとともに、前記軸支用突部に接合して回動ガイドを行う回動ガイド片を備えた断面略半円状で、前記取り付け用基体の長さ方向両外方に突出する寸法のトレー本体と、このトレー本体の両端に装着したトレー本体の断面形状に対応する略半円状の側面部と、前記開口端面に沿った平坦で、前記被取り付け体の面へ吸着させる吸着用磁石部を備えた接合片部とを具備し、被取り付け体の面に略接合する閉位置において前記トレー本体の両端面領域を外部から遮蔽するとともに、前記吸着用磁石部により被取り付け体の面に離脱可能に吸着する外観視認性が良好な一対構成の側カバー体とを具備する物品収納用の回動トレー体と、
を有することを特徴とする脱着・開閉機能付物品収納具。
【請求項５】
磁性を有する被取り付け体の面に吸着させる断面長方形状の磁石を保持し、該磁石とは反対側に略全長にわたって軸支用突部を突出させ、回動規制用のストッパー片を軸支用突部と同方向に突出させた所定長の取り付け用基体と、
前記取り付け用基体に沿って配置されるとともに、前記軸支用突部の両端部において回動基端側が軸支され、内底部に長さ方向に沿った物品等の載置安定用の凹陥部を有し、物品を収納する物品収納領域の開口部が上向きに露出する水平状態又は略水平状態の開位置と、開口端面側が前記被取り付け体の面に略接合して物品収納領域の両端面を除く領域及び取り付け用基体の略全域を外部から遮蔽するとともに、外観視認性が良好な外表面のみが露出する閉位置とにわたって回動可能に支持されるとともに、前記軸支用突部に接合して回動ガイドを行う回動ガイド片を備えた断面略半円状で、前記取り付け用基体の長さ方向両外方に突出する寸法のトレー本体と、このトレー本体の両端に装着したトレー本体の断面形状に対応する略半円状の側面部と、前記開口端面に沿った平坦で、前記被取り付け体の面へ吸着させる吸着用磁石部を備えた接合片部とを具備し、被取り付け体の面に略接合する閉位置において前記トレー本体の両端面領域を外部から遮蔽するとともに、前記吸着用磁石部により被取り付け体の面に離脱可能に吸着する外観視認性が良好な一対構成の側カバー体とを具備する物品収納用の回動トレー体と、
前記側カバー体の外面に設けられて、前記回動トレー体が閉状態のとき、この回動トレー体を円滑に開けるために指を掛けるようにした小凹部と、
を有することを特徴とする脱着・開閉機能付物品収納具。
【考案の詳細な説明】
【技術分野】
【０００１】
本考案は、脱着・開閉機能付物品収納具に関し、詳しくは、例えば磁性を有するボード等のような被取り付け体の表面等に極めて容易に取り付け可能であり、外観体裁も良好な脱着・開閉機能付物品収納具に関するものである。
【背景技術】
【０００２】
例えば、業務上の打ち合わせ、会議等において、文字や図形を描くために使用されるボード等においては、通常その底辺部に筆記用のペンや消去具を載置するためのトレーが設置される。
【０００３】
しかし、このようなトレーは、ボードの底辺部から水平外方向に突出するように設置されるものが殆どであり、このため、トレー上に載置した筆記用のペンや消去具、紙片等を磁力によりボード面に止めるマグネット等がそのまま外部から視認される状態に露出することになり、外観体裁が好ましいとは言い難い。
【０００４】
また、上述したトレー上には、ボードに描いた文字、図形等を消去具で消去する際にインク等の消し屑が落下したり、室内の埃等が溜まったりするが、これらの清掃、除去作業は煩雑であるという問題もある。
【０００５】
特許文献１には、ホワイトボードに吸着可能な磁石を備えるとともにフェルトペン等の手道具を挿入保持する円形穴状の挿入部を有し、この挿入部の内面に手道具を圧接するための凸部を設けた手動具のホルダーが提案されている。
【０００６】
しかし、この特許文献１のホルダーの場合、ホワイトボードに対して着脱可能に配置できるものの挿入部に挿入した手道具の一部がそのまま外部に露出する構成であり、不使用時においては手道具を隠しホルダー全体の見栄えを向上させるような配慮がなされたものではない。
【特許文献１】特開２００５−３０５７０６号公報
【考案の開示】
【考案が解決しようとする課題】
【０００７】
本考案が解決しようとする問題点は、磁性材からなる各種の被取り付け体への着脱が容易であるとともに、内部に収納した物品の取り出し簡便性、不使用時の内部物品遮蔽による外観良好性を兼備し、更に内部に溜まる埃等のような不要物の清掃、除去の簡略性をも有する物品収納具が存在しない点である。
【課題を解決するための手段】
【０００８】
本考案に係る脱着・開閉機能付物品収納具は、磁性を有する被取り付け体の面に吸着させる磁石を保持し、該磁石とは反対側に軸支用突部を突出させた取り付け用基体と、前記取り付け用基体の軸支用突部により軸支され、物品を収納する物品収納領域の開口部が上向きに露出する水平状態又は略水平状態の開位置と、開口端面側が前記被取り付け体の面に略接合して物品収納領域及び取り付け用基体の略全域を外部から遮蔽するとともに、外表面のみが露出する閉位置とにわたって回動可能に支持された物品収納用の回動トレー体とを有することを最も主要な特徴とする。
【考案の効果】
【０００９】
本考案によれば、以下の効果を奏する。
請求項１記載の考案によれば、物品収納用の回動トレー体を回動可能に軸支した取り付け用基体を磁石により、磁性を有する各種の被取り付け体の面に離脱可能に吸着させることができるので、被取り付け体への着脱が容易であり、また、回動トレー体を、物品を収納する物品収納領域の開口部が上向きに露出する水平状態又は略水平状態の開位置と、開口端面側が前記被取り付け体の面に略接合して物品収納領域及び取り付け用基体の略全域を外部から遮蔽するとともに、外表面のみが露出する閉位置とにわたって回動可能としているので、内部に収納した物品の取り出し簡便性、不使用時の内部物品遮蔽による外観良好性を兼備し、更に内部に溜まる埃等のような不要物の清掃、除去の簡略性をも有する脱着・開閉機能付物品収納具を提供することができる。
【００１０】
請求項２記載の考案によれば、物品収納用の回動トレー体を回動可能に軸支した取り付け用基体を所定長（例えば磁性を有するボードのような被取り付け体の長さに対応した寸法）とし、取り付け用基体に沿って配置する回動トレー体をトレー本体と、一対構成の側カバー体とを有する構成として、請求項１記載の考案の場合と同様、被取り付け体への着脱が容易であり、内部に収納した物品の取り出し簡便性、不使用時におけるトレー本体及び一対構成の側カバー体による内部物品遮蔽による外観良好性を兼備し、更に内部に溜まる埃等のような不要物の清掃、除去の簡略性をも有する脱着・開閉機能付物品収納具を提供することができる。
【００１１】
請求項３記載の考案によれば、物品収納用の回動トレー体を回動可能に軸支した取り付け用基体を所定長（例えば磁性を有するボードのような被取り付け体の長さに対応した寸法）とするととも、取り付け用基体に沿って配置する回動トレー体を、内底部に長さ方向に沿った物品等の載置安定用の凹陥部を有する断面略半円状のトレー本体と、トレー本体の形状に対応する形状とした一対構成の側カバー体を被取り付け体の面に吸着させる吸着用磁石を具備する構成として、請求項２記載の考案の場合と同様、被取り付け体への着脱が容易であり、内部に収納した物品の取り出し簡便性、不使用時におけるトレー本体及び一対構成の側カバー体による内部物品遮蔽による外観良好性を兼備し、更に内部に溜まる埃等のような不要物の清掃、除去の簡略性をも有し、更に、前記凹陥部によりトレー本体内に収納する物品等の転がりを防止して物品の載置状態の安定化を図れ、前記吸着用磁石により回動トレー体を被取り付け体の面に容易に離脱可能な状態で吸着させることが可能な脱着・開閉機能付物品収納具を提供することができる。
【００１２】
請求項４記載の考案によれば、請求項３記載の考案の効果に加えて、取り付け用基体に回動規制用のストッパー片を設け、トレー本体に前記軸支用突部に接合して回動ガイドを行う回動ガイド片を付加していることから、回動トレー体の開位置での位置決めを的確に行い、また、回動トレー体の閉位置、開位置にわたる回動動作の安定化を図ることができる脱着・開閉機能付物品収納具を提供することができる。
請求項５記載の考案によれば、請求項４記載の考案の効果に加えて、側カバー体の外面に、回動トレー体が閉状態のときこの回動トレー体を開ける際に指を掛けるようにした小凹部を設けているので、回動トレー体を一層円滑に開けることができる脱着・開閉機能付物品収納具を提供することができる。
【考案を実施するための最良の形態】
【００１３】
本考案は、被取り付け体への着脱が容易であるとともに、内部に収納した物品の取り出し簡便性、不使用時の内部物品遮蔽による外観良好性を兼備し、更に内部に溜まる埃等のような不要物の清掃、除去の簡略性をも有する物品収納具を提供するという目的を、磁性を有する被取り付け体の面に吸着させる断面長方形状の磁石を保持し、該磁石とは反対側に略全長にわたって軸支用突部を突出させた所定長の取り付け用基体と、前記取り付け用基体に沿って配置されるとともに前記軸支用突部の両端部において回動基端側が軸支されて、物品を収納する物品収納領域の開口部が上向きに露出する水平状態又は略水平状態の開位置と、開口端面側が前記被取り付け体の面に略接合して物品収納領域の両端面を除く領域及び取り付け用基体の略全域を外部から遮蔽するとともに外観視認性が良好な外表面のみが露出する閉位置とにわたって回動可能に支持された前記取り付け用基体の長さ方向両外方に突出する寸法のトレー本体と、このトレー本体の両端に装着したトレー本体の断面形状に対応する形状の側面部を具備し、被取り付け体の面に略接合する閉位置において前記トレー本体の両端面領域を外部から遮蔽する外観視認性が良好な一対構成の側カバー体とを具備する物品収納用の回動トレー体とを有する構成により実現した。
【実施例】
【００１４】
以下に、本考案の実施例について図１乃至図７を参照して詳細に説明する。
図１は本考案の実施例に係る脱着・開閉機能付物品収納具１における取り付け用基体２を磁性を有する被取り付け体（例えば磁性を有するボード等）４０の平坦な表面に吸着させ、且つ、物品収納用の回動トレー体１１を閉位置（図３に示す位置）とした状態を、図２は同じく回動トレー体１１を回動させ開位置（図４に示す位置）とした状態を各々示すものである。
【００１５】
本実施例に係る脱着・開閉機能付物品収納具１における取り付け用基体２は、薄型直方体状で、且つ、所定長の保持基体３を具備し、この保持基体３の前記被取り付け体４０に向ける一方の側には側面から見てコの字状の磁石保持凹部４が設けられ、この磁石保持凹部４により断面（又は側面）長方形状に形成した板状の磁石５を保持している。
【００１６】
また、保持基体３における前記磁石５とは反対側には、この保持基体３の略全長にわたって側面から見て半円状を呈する軸支用突部６を前方に向けて、且つ、保持基体３上面と直交する方向に突出させている。
【００１７】
更に、保持基体３には、前記軸支用突部６の下側に位置して回動トレー体１１の回動位置の規制を行うストッパー片７を突設している。
【００１８】
前記回動トレー体１１は、断面（長さ方向と直交する方向の断面）略半円状を呈し、例えば筆記ペン（マーカー等）、消去具（イレーサ、黒板拭き等）のような物品Ｍを収納する物品収納領域１３を有するトレー本体１２と、このトレー本体１２の断面形状に対応する形状の側面部３１、この側面部３１と一体の接合片部３２及び嵌着片部３３を具備する一対構成の側カバー体３０とを有している。
前記トレー本体１２は、その長さが保持基体３よりも大きく、保持基体３に取り付けた状態では、その両端が保持基体３の両端より各々外方に突出するような寸法に設定している。
【００１９】
前記トレー本体１２は、図７に示すように、長さ方向と直交する方向の断面が略半円状を呈する外装体１４、内底体１５の重合構造から、外装体１４を外側、内底体１５を内側としてこれらを一体的に重合した構成となっている。
【００２０】
前記外装体１４の両端部には、図４に示すように、前記軸支用突部６の両端に対して軸体１６により、回動トレー体１１自体を回動可能に軸支するための軸支片１７を設けている。
【００２１】
また、前記外装体１４は、閉状態で外部に露出する外表面を例えば見栄えの良い仕上げ（表面が奇麗な金属材料、表面をメッキ仕上げした金属材料、表面が奇麗な合成樹脂材料等で形成）とするとともに、前記側カバー体３０の外面に小凹部１８を形成している。小凹部１８は、後記するように回動トレー体１１が閉状態のとき、当該回動トレー体１１を開ける際に指を掛けるためのものである。
【００２２】
更に、前記外装体１４における回動基端（前記軸支用突部６により軸支される側の領域）側の外表面は、図４に示す閉位置において前記ストッパー片７に当接して、回動トレー体１１を図４に示すように水平位置又は略水平位置に位置規制するように構成している。
【００２３】
前記トレー本体１２を構成する内底体１５は、その両端近傍に図７に示すように軸支用突部６に接合して、回動トレー体１１自体の閉位置、開位置間の回動を安定させる回動ガイド片１９を設けている。
【００２４】
また、前記内底体１５は、図５、図７に示すよう、にその内底部中央に長さ方向に沿って前記物品Ｍを安定して（例えば転がらないよう）載置するための凹陥部２０を設けている。
【００２５】
前記側カバー体３０における側面部３１は、トレー本体１２の断面形状に対応する形状に形成され、且つ、外部に露出する外側面を前記外装体１４と同様例えば見栄えの良い仕上げ（表面が奇麗な金属材料、表面をメッキ仕上げした金属材料、表面が奇麗な合成樹脂材料等で形成）としている。
【００２６】
前記接合片部３２は、図５に示すように、前記物品収納領域１３の開口端面の端部においてこの開口端面に沿って平坦配置となるように前記側面部３１と一体形成され、また、その内側に図７に示すように前記被取り付け体４０の面へ吸着させる吸着用磁石部３４を備えている。
【００２７】
更に、前記接合片部３２の上面には、図５に示すように、突出端近傍に位置してゴム材又は合成樹脂材等からなり円形に形成した圧着体３５を接合片部３２の上面から微小寸法突出する状態で配置し、閉位置において被取り付け体４０の面に接合片部３２が略接合した際に、前記圧着体３５により被取り付け体４０の面に接合片部３２の接合跡が付かないように構成している。
【００２８】
前記嵌着片部３３には、前記側面部３１における接合片部３２との連結領域を除く略半円状の外縁領域から前記外装体１４側に向けてこの外装体１４と同様な形状で屈曲形成され、その突出端側を外装体１４の内側に嵌着し、図６に示すように、外装体１４と連接する小幅の縁部３３ａが表出するように構成している。
【００２９】
前記接合片部３２の上面及び嵌着片部３３の縁部３３ａも、前記側面部３１と同様、例えば見栄えの良い仕上げ（表面が奇麗な金属材料、表面をメッキ仕上げした金属材料、表面が奇麗な合成樹脂材料等で形成）としている。
【００３０】
また、前記嵌着片部３３の縁部３３ａに、前記外装体１４の小凹部１８に対応する形状で、この小凹部１８と一直線状配置となるように形成した小凹部３６を設けている。なお小凹部１８は、前記したように、回動トレー体１１が閉状態のとき、当該回動トレー体１１を開ける際に指を掛けるためのものである。
【００３１】
次に、図８を参照して、前記軸支用突部６の軸体１６により支持した回動トレー体１１と被取り付け体４０の面との寸法関係について説明する。
【００３２】
前記軸体１６の中心から被取り付け体４０の面までの距離をＬ０、軸体１６の中心から接合辺部３２の上面までの最短距離をＬ１、軸体１６の中心から接合辺部３２の回動基端側のコーナまでの距離をＬ２とする。本実施例においては、前記最短距離Ｌ１及び距離Ｌ２をいずれも距離Ｌ０よりも僅かに小さい寸法に設定している。
【００３３】
これにより、回動トレー体１１を図３に示す閉位置と図４に示す開位置とにわたって回動するとき、回動トレー体１１における回動基端側のコーナ部分が被取り付け体４０の面に接触せず、円滑な回動動作が可能であるとともに、回動トレー体１１を図３に示す閉位置に回動したとき、接合辺部３２の上面が被取り付け体４０の面に略接合し、前記外装体１４及び一対の側カバー体３０により、前記物品収納領域１３全体を外部から遮蔽するように構成している。
【００３４】
次に、上述した構成からなる本実施例に係る脱着・開閉機能付物品収納具１の作用について、前記回動トレー体１１の閉位置、開位置に分けて説明する。
【００３５】
（回動トレー体１１の閉状態）
本実施例に係る脱着・開閉機能付物品収納具１の取り付け用基体２を前記磁石５の磁力を利用して、被取り付け体４０の例えば下部領域の面に取り付け、前記回動トレー体１１を、図１、図３に示す閉状態にしたときには、前記軸支用突部６の軸体１６により支持した回動トレー体１１における一対の側カバー体３０に備えた各接合辺部３２の上面及び物品収納領域１３の開口端面側が、被取り付け体４０の面に略接合し、このとき、前記吸着用磁石３４の磁力により回動トレー体１１を被取り付け体４０の面に離脱可能に、すなわち、開動作し易く吸着させることができる。
【００３６】
また、図１、図３に示す閉状態においては、前記トレー本体１２を構成する外装体１４により、物品収納領域１３の両端面を除く領域及び取り付け用基体２の略全域を外部から遮蔽され、更に、一対の側カバー体３０の側面部３１及び嵌着片部３３の小幅の縁部３３ａにより前記トレー本体１２の両端面領域、すなわち物品収納領域１３の両端面領域が外部から遮蔽される。
【００３７】
この結果、物品収納領域１３に収納した物品Ｍを回動トレー体１１の内部に外部から完全に遮蔽した状態とすることができ、外観体裁を良好にすることができる。
【００３８】
加えて、前記外装体１４の外表面、側面部３１の外表面、嵌着片部３３の縁部３３ａをいずれも見栄えの良い仕上げとしていることから、図１、図３に示す閉状態の回動トレー体１１は、外部から視認して極めて見栄えが良く外観体裁が優れたものとなる。
【００３９】
（回動トレー体１１の開状態）
前記回動トレー体１１を、図２、図４、図６に示す閉状態としたときには、回動トレー体１１は前記ストッパー片７により位置規制されて、水平又は略水平配置に位置決めされる。この状態では、物品収納領域１３がその開口端面を上向きとした状態で表出し、これにより、物品収納領域１３内に筆記ペン、消去具、黒板拭き等の物品Ｍを収納することができる。なお、前記回動トレー体１１が閉状態のとき、当該回動トレー体１１を開ける際には、回動トレー体１１に設けた小凹部１８に指を掛けながら開けると、円滑に開けることができる。
【００４０】
また、前記内底体１５に、長さ方向に沿って凹陥部２０を設けているので、筆記ペン等の物品Ｍを転動することなく安定した状態で支持することができる。
【００４１】
更に、回動トレー体１１の物品収納領域１３内に、インク等の消し屑が落下したり、室内の埃等が溜まったりした場合においても、取り付け用基体２及び回動トレー体１１を容易に被取り付け体４０から離脱できることから、これらの清掃、除去作業の簡便性も図ることができるという作用、効果も発揮する。
【００４２】
上述した回動トレー体１１を、閉位置から開位置へ（図４に示す矢印ａ方向）、又は開位置から閉位置へ（図３に示す矢印ｂ方向）回動させる回動動作時においては、前記内底体１５の両端近傍に設けた回動ガイド片１９が、軸支用突部６に接合しつつ回動することから、回動トレー体１１自体の閉位置、開位置間にわたる回動動作を安定、且つ、円滑な状態とすることができる。
【００４３】
以上説明したように、本実施例に係る脱着・開閉機能付物品収納具１によれば、取り付け用基体２及び回動トレー体１１の被取り付け体４０への着脱が容易であるとともに、内部に収納した物品Ｍの取り出し簡便性に優れ、また、閉位置とした不使用時における内部物品遮蔽機能及び外観良好性を兼備するという優れた効果を発揮させることができる。
【００４４】
更に、回動トレー体１１の内部に溜まる消し屑、埃等のような不要物の清掃、除去の簡略性をも発揮する脱着・開閉機能付物品収納具１を提供することができる。
【００４５】
本実施例に係る脱着・開閉機能付物品収納具１の長さ、幅等の寸法設定は、各種の被取り付け体４０の寸法に対応して種々に選定し得ることは勿論であり、例えば長さ寸法としては、６００ｍｍ、９００ｍｍ等の例を挙げることができる。
【００４６】
なお、図示しないが、本実施例に係る脱着・開閉機能付物品収納具１を専用の吊り金具を用いて、クロス貼りのパーテーションやモルタル等のような非磁性材からなる壁面部等に取り付けることも可能であり、この場合においても内部に収納した物品Ｍの取り出し簡便性に優れ、更に閉位置とした不使用時における内部物品遮蔽機能及び外観良好性を兼備するという優れた効果を発揮させることができる。
【産業上の利用可能性】
【００４７】
本考案は、上述した場合の他、例えば磁性金属製のキャビネット、棚、家具等に上述した脱着・開閉機能付物品収納具を吸着させて小物物品等を収納、取り出しを行う用途に適用する等、広範な応用が可能である。
【図面の簡単な説明】
【００４８】
【図１】本考案の実施例に係る脱着・開閉機能付物品収納具を被取り付け体に取り付け回動トレー体を閉位置とした状態の斜視図である。
【図２】本実施例に係る脱着・開閉機能付物品収納具を被取り付け体に取り付け回動トレー体を開位置とした状態の斜視図である。
【図３】本実施例に係る脱着・開閉機能付物品収納具を被取り付け体に取り付け回動トレー体を閉位置とした状態の側面図である。
【図４】本実施例に係る脱着・開閉機能付物品収納具を被取り付け体に取り付け回動トレー体を開位置とした状態の側面図である。
【図５】本実施例に係る脱着・開閉機能付物品収納具を被取り付け体に取り付け回動トレー体を開位置とした状態の部分平面図である。
【図６】本実施例に係る脱着・開閉機能付物品収納具を被取り付け体に取り付け回動トレー体を開位置とした状態の概略正面図である。
【図７】本実施例に係る脱着・開閉機能付物品収納具を被取り付け体に取り付け回動トレー体を開位置とした状態の概略断面図である。
【図８】本実施例に係る脱着・開閉機能付物品収納具におけるの回動トレー体の被取り付け体の面に体する寸法関係を示す説明図である。
【符号の説明】
【００４９】
１    脱着・開閉機能付物品収納具１
２    取り付け用基体
３    保持基体
４    磁石保持凹部
５    磁石
６    軸支用突部
７    ストッパー片
１１    回動トレー体
１２    トレー本体
１３    物品収納領域
１４    外装体
１５    内底体
１６    軸体
１７    軸支片
１８    小凹部
１９    回動ガイド片
２０    凹陥部
３０    側カバー体
３１    側面部
３２    接合辺部
３３    嵌着片部
３３ａ  縁部
３４    吸着用磁石部
３５    圧着体
３６    小凹部
４０    被取り付け体
Ｍ    物品
【図１】
0003122467.tif 000003
【図２】
0003122467.tif 000004
【図３】
0003122467.tif 000005
【図４】
0003122467.tif 000006
【図５】
0003122467.tif 000007
【図６】
0003122467.tif 000008
【図７】
0003122467.tif 000009
【図８】
0003122467.tif 000010